(57)【要約】      （修正有）【課題】葬祭副葬品の六文銭としても用いることができるよう、法令や火葬場の規定に則り完全燃焼可能で、かつ簡素な代替品ではなく重厚で荘厳さが感じられ遺族感情が少しでも救われることを目的とし、さらに凹凸形状でありながら容易に細部形状を可変可能な構造の寛永通宝模造一文銭を提供する。【解決手段】第１・第２の中央貫通孔４の開いた円形板状可燃物１ａの表面に、それぞれ彫刻加工により施された、「寛永通寳」の文字２ａと縁取り線３、５及び、寛永通宝一文銭裏面の文様を有し、その裏面同士が貼合されていること、又は、その円形板状可燃物が１枚構造であって両面に彫刻加工により施された寛永通宝一文銭の文様を有することを特徴とする。あるいはさらに、円形板状可燃物１ａの素材が木であるもの、着色加工が施されたもの、彫刻がレーザー加工により施されたもの、「寛永通寳」の文字が個別に指定された見本と同じ書体であるもの。【選択図】図１
0003210306.tif 000002
【実用新案登録請求の範囲】
【請求項１】
第１の方形状の中央貫通孔の開いた円形板状可燃物の表面に、彫刻加工により施された「寛永通寳」の文字と円形縁取り線を有し、第２の方形状の中央貫通孔の開いた円形板状可燃物の表面に、彫刻加工により施された円形縁取り線、又は、文字と円形縁取り線を有し、前記第１・第２の円形板状可燃物の裏面同士が貼り合わされていることを特徴とする模造一文銭。
【請求項２】
方形状の中央貫通孔の開いた円形板状可燃物の表面に、彫刻加工により施された「寛永通寳」の文字と円形縁取り線を有し、その裏面に、彫刻加工により施された円形縁取り線、又は、文字と円形縁取り線を有することを特徴とする模造一文銭。
【請求項３】
第１の方形状の中央貫通孔の開いた円形板状可燃物の表面に、加工深度０．７ｍｍ以上の彫刻加工により施された「寛永通寳」の文字と円形縁取り線を有し、第２の方形状の中央貫通孔の開いた円形板状可燃物の表面に、加工深度０．７ｍｍ以上の彫刻加工により施された円形縁取り線、又は、文字と円形縁取り線を有し、前記第１・第２の円形板状可燃物の裏面同士が貼り合わされていることを特徴とする模造一文銭。
【請求項４】
方形状の中央貫通孔の開いた円形板状可燃物の表面に、加工深度０．７ｍｍ以上の彫刻加工により施された「寛永通寳」の文字と円形縁取り線を有し、その裏面に、加工深度０．７ｍｍ以上の彫刻加工により施された円形縁取り線、又は、文字と円形縁取り線を有することを特徴とする模造一文銭。
【請求項５】
前記円形板状可燃物の素材が、木である請求項１〜４のいずれかに記載の模造一文銭。
【請求項６】
古銭を模した着色加工が施された前記請求項１〜４のいずれかに記載の模造一文銭。
【請求項７】
前記彫刻がレーザー加工により施されたものである請求項１〜４のいずれかに記載の模造一文銭。
【請求項８】
前記円形板状可燃物の素材が木であり、かつ、前記彫刻がレーザー加工により施されたものであり、その底部と側面部にレーザー照射による焼損痕がある請求項１〜４のいずれかに記載の模造一文銭。
【請求項９】
前記彫刻の「寛永通寳」の文字が、個別に指定された見本と同じ書体である請求項１〜４のいずれかに記載の模造一文銭。
【考案の詳細な説明】
【技術分野】
【０００１】  本考案は、葬祭副葬品の六文銭として火葬に付しても完全燃焼させることができる寛永通宝一文銭を模した模造一文銭の構造に関するものである。
【背景技術】
【０００２】  古来、葬儀に際し、故人と共に様々な品物等を納める副葬品の風習がある。故人の愛用品や好物等故人に縁の物、宗教的な意味合いであの世で必要とされる物や迷信による習俗的な物、権力や地位を示す財宝等、時代や地域、信仰・思想によって様々である。
この副葬品の１つに、金銭又は金銭を模したものである冥銭がある。あの世への通行料やあの世でお金に困らないようにという思想により、故人の冥福を祈り納められている。
日本では、三途の川の渡し銭と言われる６文の銭貨を冥銭とすることが多い。これは、六文銭、あるいは六道銭、六連銭、銭六文とも言われており、一文銭、特に江戸時代の代表的銭貨である「寛永通宝」の一文銭を６枚用いることが多い。【０００３】  江戸時代には副葬品を納める風習が広まり、中世・近世の村落において六文銭の習俗は死者供養の一つであったとされている。北海道や沖縄では希薄であるが、主に東北から九州までほぼ全国的に行われていたとされ、考古学研究においても、武家から町人まで身分・階層を超えて広がった習俗であるとされている。寛保２年（１７４２年）には六道銭禁令の町触が出されたことからも、当時広く人々に浸透していた習俗であることがうかがえる。上層の身分・階層では、貨幣に対する経済思想論理の浸透もあり、前述禁令以降の年代では、発掘調査における六文銭の出現率は低下する傾向にある。しかし、その頃推奨された銭形模造品は広く普及しなかったようで、庶民の間では禁令はあまり守られず、民俗例によると、六文銭の習俗は近世の村落でも根強く残ったと考えられている。
寛文元年（１６６１年）刊行の『因果物語』（鈴木正三著）には、妻が夫の遺言通りに金柄の小刀と六道銭六文を柩に入れずに悪銭の銭六文だけを入れたところ、夫が幽霊となって妻達を襲った。その後、墓に金柄の小刀と上銭の銭六文を埋めると幽霊は現れなくなった。という説話が記されており、当時より、六文銭には単に流通していた銭貨を用いればよいとしていたのではなく、上質の銭を選んで墓に納めて、死者を手厚く葬ろうとした心性がはたらいていたと考えられている。
古代から慶応３年（１８６７年）までの様々な文献から引用した例証を分野別に編さんした『古事類苑』にも、六道銭についての記載がいくつか残されており、日本人に古くから伝えられている風習であることがうかがい知れる。【０００４】  現代の日本においても、三途の川の渡し賃として故人が無事渡れるように、また、六道（地獄道・餓鬼道・畜生道・修羅道・人間道・天道）の地蔵菩薩への賽銭として、故人の冥福を祈り、極楽浄土へ往く路銀として、六文銭を柩に入れる風習が受け継がれている。
貨幣通貨が「文」ではなくなり古銭の寛永通宝の入手が困難になると、代用として現行通貨を冥銭とし柩に入れる習慣が広まった。１０円玉を用いる場合や、寛永通宝のように穴の開いた貨幣である５円玉や５０円玉を用いる場合等、枚数や金額は、地域慣習や遺族の意思、宗旨宗派等により異なる。
しかしながら、現在の日本においては、貨幣損傷等取締法により、『貨幣は、これを損傷し又は鋳つぶしてはならない。』とされ、貨幣を意図的に破損したり鋳つぶしたりすると罰せられてしまい、火葬による破損もこれに抵触するとの見解もある。また、火葬場の規定により火葬炉設備破損及び事故の原因や焼骨損傷の原因にもなるため、硬貨等金属を入れることは禁止されることが増えてきている。
そのため最近では、図１６に示すように、寛永通宝一文銭を表す図形（２１）を２個ずつ３行に６個並べて描いたものを印刷機により複製される複写紙（２２）等で代用したものが、広く用いられている。この紙を頭陀袋に入れる等して六文銭の代わりとしている。【０００５】  以上の慣習的に用いられる六文銭の現状を受け発明された物品は、『納棺用の副葬品』として、乳酸ポリマーよりなる生分解性熱可塑樹脂により形成される納棺用の六道銭である。これは、六道銭として使用される寛永通宝一文銭を効率よく安価に生産でき、かつ有毒ガスが発生せず御遺体に損傷を与えずに焼却できるとされる面では優れている。
しかしながらこの発明では、射出成型用の型を作り同形状のものを量産することは容易であるが、個別に細部形状を変化させることは難しいと考えられる。【０００６】  また、現状を受け考案された構造は、第一に、『棺収納用財布』の財布内に収納する古銭として、紙の積層体の樹脂加工品に、エンボス加工及び着色して製造されたものである。第二に、『棺に納める模造古銭』として、含浸紙等可燃性の素材表面に古銭のエンボス模様を施して、その表面硬度を７５以上とし、これを円く形成するものである。第三に、『完全燃焼する納棺用模造古銭』として、完全燃焼可能な基材に古銭模様をエンボスし、金属を付着させるか、あるいはさらにこの金属面を腐食させた構成のものである。これらは、完全燃焼可能な基材でありながら、より寛永通宝古銭の実物に近い外観と感触を有しているとされる面では優れている。
しかしながらこれらの構造でも、前述発明と同様に、エンボス加工用の型による同形状物の量産は容易であるが、個別に変化させることは難しいと考えられる。また、加圧によるエンボス処理のため、素材は加工紙、積層物等の型押しによりエンボス模様が十分に維持できるものに限られる。さらに、金属を表面に付着させた構成は、ごく微量な付着であっても火葬場の規定に反する可能性は完全否定できない。
第四に、『模造六文銭』として、紙の中心部まで茶色に着色された厚さが硬貨程度の厚紙に、寛永通宝の文字と図柄を印刷し寛永通宝に似せた形に打ち抜き、その６枚を紐で連結した考案がある。これは、製造が容易で安価に大量生産でき、かつ印刷のため図柄を変化させることも容易である面では優れている。
しかしながらこの構造では、印刷された有色紙を円銭形状に打ち抜いたものであり、やはり簡素的な印象は免れない。【０００７】  次に、非特許技術として、テロメアクリエイトより、木製の燃やせる六文銭がインターネットショップにて販売されている。同社の情報によると、『燃やせる「六文銭」（木製）』は、直径約２６ｍｍの円形で厚さ約７ｍｍの木材に、寛永通宝の文様が印刷された紙製シールが貼付されている。表面は「寛」「永」「通」「寳」の文字が上下右左の順に並べられ、真ん中に四角形の線と外周に円形の縁取り線が描かれたもので、裏面は寛永通宝四文銭の裏面の文様である波銭である。また、『「燃やせる」真田の六文銭』は、直径約２７ｍｍの円形で厚さ約７ｍｍの木材に、永楽通宝の文様が印刷された紙が貼付されたものに蜜蝋ワックスが塗布されている。表面は「永」「樂」「通」「寳」の文字が上下右左の順に並べられ、真ん中に四角形の線と外周に円形の縁取り線が描かれたもので、裏面は裏銭の文様である。いずれも素材が木製で燃やすことができ、かつ印刷紙の貼付のため図柄を変化させることも容易である面では優れている。
しかしながらこれらの構造では、いずれも、古銭の文様を模して描かれた図柄を印刷した紙を木材に貼付しただけで、貨幣のような凹凸がなく、真ん中の四角形も印刷によって表されるもので実際の穴は開けられておらず、平面的であり、やはり簡素的な印象は免れない。また、木材に紙を貼付しており剥離する可能性もある。さらに、『燃やせる「六文銭」（木製）』の文様は寛永通宝四文銭であるが、六文銭として一般的に用いられるのは一文銭である。『「燃やせる」真田の六文銭』は、真田幸村の時代に基づき永楽通宝を模して作られているが、永楽通宝は慶長１３年（１６０８年）頃には通用禁止令が出され、寛文年間頃にはすでに流通していなかったとみられている。六文銭の風習自体は、真田家の家紋や、遺跡出土品の考古学研究より、室町時代頃より当時は渡来銭を用いて行われていたともされるが、前述の通り、１７４２年に六道銭禁令が出された歴史背景があり、禁令が出された頃に庶民の間で慣例となっていた六文銭で用いられた貨幣は、寛永通宝であると推察される。江戸後期でも寛永通宝四文銭や永楽通宝が意図的に選択され六文銭に用いられたことも中にはあるようだが、後世に受け継がれた六文銭の習慣では寛永通宝一文銭を用いるという認識が主流であったことから、図１６に示すような現代の紙で代用される六文銭にも寛永通宝が描かれているのだと考察できる。そのため、慣例に則ると、副葬品の六文銭に用いる一文銭は、寛永通宝であることが望ましい形態であると考えられる。
【先行技術文献】
【特許文献】
【０００８】
【特許文献１】特開２０００−１１６７３４号広報
【特許文献２】実開平６−１９５３５号広報
【特許文献３】実開平７−４３０７８号広報
【特許文献４】実開平７−１８７２３号広報
【特許文献５】実用新案登録第３０８３５３１号広報
【非特許文献】
【０００９】
【非特許文献１】谷川章雄著，「江戸の墓制・葬制の考古学的研究」早稲田大学審査学位論文博士（人間科学），２０１０年１月，ｐ．６３〜７７
【非特許文献２】「日本葬送文化学会会誌  第１１号」日本葬送文化学会，平成２１年３月１５日発行，ｐ．１７〜２５  谷川章雄著「江戸の墓に納めるもの−とくに六道銭を中心に−」
【非特許文献３】小野木学著，「考古学コラム『きずな』Ｎｏ．５『六道銭』」岐阜県文化財保護センター，平成２５年１２月２日発行，全文
【非特許文献４】「古事類苑」明治政府編纂，明治２９〜大正３年，六道に関する記載：地部四十四  洋装冊数３  ｐ．８８１／宗教部四  洋装冊数１  ｐ．３６６／宗教部四  洋装冊数１  ｐ．３７９／宗教部十六  洋装冊数２  ｐ．３／六道銭に関する記載：泉貨部三  洋装冊数１  ｐ．１６６／禮式部二十二  洋装冊数２  ｐ．３７５
【非特許文献５】貨幣損傷等取締法（昭和二十二年十二月四日法律第百四十八号）第１項〜第３項
【非特許文献６】「日向東臼杵南部広域連合だより」第２３号  日向東臼杵南部広域連合，平成２４年４月発行，ｐ．６「日向地区斎場東郷霊苑からのお知らせ  ◎納棺時の副葬品についてのお願い」
【非特許文献７】「広報あしや臨時号」兵庫県芦屋市，平成２４年６月１５日号，４面「芦屋市聖苑（火葬場）からのお願い」
【非特許文献８】「広報さんむ」８月号（第５３号）千葉県山武市，２０１０年８月発行，ｐ．２３「広域斎場から副葬品についてのお願い」
【非特許文献９】”燃やせる「六文銭」（木製）”，［ｏｎｌｉｎｅ］，テロメアクリエイト，［平成２９年２月１４日検索］，インターネット〈ＵＲＬ：ｈｔｔｐ：／／ｗｗｗ．ｔｅｌｏｍｅｒｅｇｒｏｕｐ．ｃｏｍ／Ｓａｌｅｓ／ｒｏｋｕｍｏｎ．ｈｔｍｌ〉
【非特許文献１０】”真田幸村六文銭  燃やせる「六文銭」（木製）蜜蝋コーティング”，［ｏｎｌｉｎｅ］，テロメアクリエイト，［平成２９年２月１４日検索］，インターネット〈ＵＲＬ：ｈｔｔｐ：／／ｗｗｗ．ｔｅｌｏｍｅｒｅｇｒｏｕｐ．ｃｏｍ／Ｓａｌｅｓ／ＳＡＮＡＤＡ．ｈｔｍｌ〉
【考案の概要】
【考案が解決しようとする課題】
【００１０】  しかしながら、以上の技術によれば、以下のような問題点が生じていた。
前述の通り、第一に貨幣通貨が文ではなくなり古銭の寛永通宝の入手が困難になった。
第二に、代用とされた現行通貨は、貨幣損傷等取締法に抵触する恐れがあるため、冥銭として用いることができない。
第三に、火葬場の規定により硬貨等金属を入れることは禁止されることが増えており、硬貨を副葬品に用いることができない。
第四に、図１６に示すように、寛永通宝一文銭を表す図形を６個並べて描いた複写紙を六文銭の代わりとするのは、あまりに簡素的で遺族感情としては虚しさを感じてしまう。六文銭は故人の冥福を祈り、極楽浄土へ往く路銀として持たせてあげたいという信仰的な意味合いのものである。『因果物語』の一節にもあるように、古来、形式だけの粗末な六文銭より、できるだけ上質なものが好ましいと考えられてきた背景もあり、複写紙では非常に簡素で上質とは言えず、あまりに形式的で心情的に寂しいものである。【００１１】  これらのことから発明・考案された特許及び非特許先行技術であるが、第五に、印刷された有色紙を円銭形状にしたものでは、やはり簡素的な印象は免れない。
第六に、木材に印刷紙を貼付したものでは、凹凸や穴もなく平面的であり、古銭を簡易的に模したものである印象が強い。また、材質面でも、木材に紙を貼付するのでは保管・移動・使用時に剥離の可能性があり、耐久面で信頼がおけない。
第七に、紙等の加圧エンボス加工や生分解性熱可塑樹脂製であれば、形成用の型を作り同形状のものを量産することは容易であるが、個別に細部形状を変化させることは、都度型を作成する必要があり非常に手間がかかると考えられる。【００１２】  そこで、本考案では、葬祭副葬品の六文銭としても用いることができるよう、法令や火葬場の規定に則り、完全燃焼させることができ、かつ簡素な代替品の印象ではなく重厚で荘厳さが感じられ、遺族感情が少しでも救われることを目的とし、さらに凹凸形状でありながら容易に細部形状を可変することが可能な構造の寛永通宝一文銭を模した模造一文銭を提供することを課題とする。
【課題を解決するための手段】
【００１３】  以上の課題を解決するために、第一考案は、第１の方形状の中央貫通孔の開いた円形で板状の可燃物の表面に、彫刻加工により施された寛永通宝一文銭表面の文様である「寛永通寳」の文字と円形裁断線に沿った縁取り線を有し、第２の方形状の中央貫通孔の開いた円形で板状の可燃物の表面に、彫刻加工により施された寛永通宝一文銭裏面の文様である円形裁断線に沿った縁取り線、又は、文字と円形裁断線に沿った縁取り線を有し、前記第１・第２の円形で板状の可燃物各１枚を一対とし、中央貫通孔を共通にして裏面同士が貼り合わされていることを特徴とする模造一文銭である。【００１４】  第二考案は、方形状の中央貫通孔の開いた円形で板状の可燃物の表面に、彫刻加工により施された寛永通宝一文銭表面の文様である「寛永通寳」の文字と円形裁断線に沿った縁取り線を有し、その裏面に、彫刻加工により施された寛永通宝一文銭裏面の文様である円形裁断線に沿った縁取り線、又は、文字と円形裁断線に沿った縁取り線を有することを特徴とする模造一文銭である。【００１５】  第三考案は、第１の方形状の中央貫通孔の開いた円形で板状の可燃物の表面に、加工深度０．７ｍｍ以上の彫刻加工により施された寛永通宝一文銭表面の文様である「寛永通寳」の文字と円形裁断線に沿った縁取り線を有し、第２の方形状の中央貫通孔の開いた円形で板状の可燃物の表面に、加工深度０．７ｍｍ以上の彫刻加工により施された寛永通宝一文銭裏面の文様である円形裁断線に沿った縁取り線、又は、文字と円形裁断線に沿った縁取り線を有し、前記第１・第２の円形で板状の可燃物各１枚を一対とし、中央貫通孔を共通にして裏面同士が貼り合わされていることを特徴とする模造一文銭である。【００１６】  第四考案は、方形状の中央貫通孔の開いた円形で板状の可燃物の表面に、加工深度０．７ｍｍ以上の彫刻加工により施された寛永通宝一文銭表面の文様である「寛永通寳」の文字と円形裁断線に沿った縁取り線を有し、その裏面に、加工深度０．７ｍｍ以上の彫刻加工により施された寛永通宝一文銭裏面の文様である円形裁断線に沿った縁取り線、又は、文字と円形裁断線に沿った縁取り線を有することを特徴とする模造一文銭である。【００１７】  第五考案は、前記円形で板状の可燃物の素材が、木である第一〜第四考案のいずれかに記載の模造一文銭である。
第六考案は、古銭を模した着色加工が施された前記第一〜第四考案のいずれかに記載の模造一文銭である。
第七考案は、前記彫刻がレーザー加工により施されたものである第一〜第四考案のいずれかに記載の模造一文銭である。
第八考案は、前記円形で板状の可燃物の素材が木であり、かつ、前記彫刻がレーザー加工により施されたものであり、その底部と側面部にレーザー照射による焼損痕がある第一〜第四考案のいずれかに記載の模造一文銭である。
第九考案は、前記彫刻の「寛永通寳」の文字が、個別に指定された見本と同じ書体である第一〜第四考案のいずれかに記載の模造一文銭である。
【考案の効果】
【００１８】  第一考案、第二考案、第三考案又は第四考案によれば、燃焼時に有害物質が発生しない可燃物を素材として用いることで、法令や火葬場の規定に則ることができ、火葬場の耐久範囲内の発熱量により完全燃焼させることができる。【００１９】  また、第一考案、第二考案、第三考案又は第四考案によれば、印刷や加圧、射出成型ではなく、彫刻により一文銭の文様が表現されていることで、簡易的に大量生産された印象が薄く、印刷紙の貼付のように剥離することもない。古来の『彫る』という行為や、例えば仏像や寺院彫刻等のような彫刻により生み出されるものに対する、敬意や入魂、祈願の意、信仰心より、荘厳さや安らぎを感じることができ、より冥福を祈る思いを込めた遺族感情に寄り添う副葬品とすることができる。【００２０】  第五考案では、第一〜第四考案のいずれかに記載の可燃物の素材に、燃焼時に有害物質が発生しない木を用いることで、法令や火葬場の規定に則ることができ、火葬場の耐久範囲内の発熱量により完全燃焼させることができる。さらに、木本来の印象や古来の樹木崇拝の思考より、より良質で重厚感のある模造一文銭とすることができる。木彫刻は本の命を頂くものとされており、より敬意や入魂、祈願の意が強くなる。西洋の「タッチウッド」という木に触れることで災いを寄せ付けない信仰や、仏教の「香合仏」という旅の道中に懐に入れ身につける仏像のように、木には安らぎの効果があると信じられており、経年変化する素材であるがゆえに、やわらかさや温かみがある。模造一文銭の素材として用いることで、より願いを込めやすく、重厚で荘厳さが感じられるものとすることができる。【００２１】  第六考案では、第一〜第四考案のいずれかに記載の模造一文銭に、さらに着色加工が施されたものであることで、彫刻部分に濃淡ができ凹凸部分がより鮮明になって顕著に表されている。また、古銭を模した色を用い変色した経年変化が彩色により再現されていることで、可燃物でありながら金属古銭に近い外観の模造一文銭となっている。【００２２】  第七考案では、第一〜第四考案のいずれかに記載の彫刻がレーザー加工により施されたものであることで、手掘り彫刻や手動彫刻機を用いた彫刻のように高度な技術や時間を要さずとも細かく正確に形状が表現されている。レーザー加工品は、印刷や塗料で着色されたものと異なり、レーザーの熱により基材そのものが彫刻、切断、変色加工されているため、塗料が剥げたり変色・退色したりするといった懸念がなく、破損しない限り半永久的にその加工状態を維持することができるものである。そのため、長期的な使用・保管も可能である。レーザー加工により施された本模造一文銭の彫刻は、レーザーの照射出力や照射時間の調整によって、板状可燃物の表面に凹凸が表現されており、正確に円形に切断及び方形状に貫通孔が開けられている状態である。よって、量産することも容易であり、なおかつ、細部形状を都度可変することも容易に可能であり、より実用的なものである。【００２３】  第八考案では、第一〜第四考案のいずれかに記載の円形板状可燃物の素材が木であり、かつ、その彫刻がレーザー加工により施されたものであることで、前記第五考案と第七考案の効果を併せ持っている。また、木の基材にレーザー加工が施された場合、レーザー照射部分は炭化し焦げ茶色に変色が起こるため、本考案の模造一文銭のレーザーが照射された底部と側面部には焼損痕がある。これにより、未照射部分との濃淡ができ、より凹凸が顕著に表され、全体の重厚感も増すことができる。【００２４】  第九考案では、第一〜第四考案のいずれかに記載の「寛永通寳」の文字彫刻が、個別に指定された見本と同じ書体であることにより、例えば、親族等が手書きで記した文字形状を見本とし、その書体の「寛永通寳」の文字とすることも可能であり、それぞれに、より思いを込めた模造一文銭にすることができる。彫刻は型を用いずとも施せるため、細部形状を都度可変することも容易に可能であり、個別の模造一文銭とすることも可能である。
【図面の簡単な説明】
【００２５】
【図１】  本考案の実施例の模造一文銭表面を示した斜視図である。（実施例１）
【図２】  本考案の実施例の模造一文銭裏面を示した斜視図である。（実施例１）
【図３】  本考案の実施例の模造一文銭貼合表面を示した斜視図である。（実施例１）
【図４】  本考案の実施例の模造一文銭表面を示した斜視図である。（実施例２）
【図５】  本考案の実施例の模造一文銭裏面を示した斜視図である。（実施例２）
【図６】  本考案の実施例の模造一文銭を示した断面図である。（実施例２）
【図７】  本考案の実施例の模造一文銭表面を示した斜視図である。（実施例３）
【図８】  本考案の実施例の模造一文銭表面を示した斜視図である。（実施例４）
【図９】  本考案の実施例の模造一文銭表面を示した斜視図である。（実施例５）
【図１０】  本考案の実施例を示した斜視図である。（実施例６）
【図１１】  本考案の実施例を示した斜視図である。（実施例７）
【図１２】  本考案の実施例を示した斜視図である。（実施例８）
【図１３】  本考案の実施例を示した斜視図である。（実施例９）
【図１４】  本考案の実施例を示した斜視図である。（実施例１０）
【図１５】  本考案の実施例を示した斜視図である。（実施例１１）
【図１６】  従来技術の複写紙で六文銭を模した模造六文銭を示した正面図である。
【考案を実施するための形態】
【００２６】  本考案を実施するにあたり用いる素材は、燃焼時に有害物質が発生しない板状の木材又は繊維板、厚紙、生分解性熱可塑樹脂版等適宜可燃物で、かつ彫刻可能な硬度を有するものとし、円形に切断されており、中央部分に方孔円銭の形状である方形状の穴が貫通している。本考案における寛永通宝一文銭表面の文様は、それぞれ彫刻加工の凹凸により表現された「寛」「永」「通」「寳」の各文字が上下右左に配置されており、円形裁断線に沿った縁取り線を有するものである。寛永通宝一文銭裏面の文様は、それぞれ彫刻加工の凹凸により表現された円形裁断線に沿った縁取り線を有し、又は、「文」等の寛永通宝一文銭裏面に刻まれていた文字が配置され円形裁断線に沿った縁取り線を有するものである。
【００２７】  第一考案では、中央貫通孔の開いた円形板状可燃物の表面に、彫刻加工により施された前記寛永通宝一文銭表面・裏面それぞれの文様を有するもの各１枚を一対とし、中央貫通孔を共通にして裏面同士が貼り合わされ１枚の模造一文銭となっている。
第二考案では、中央貫通孔の開いた円形板状可燃物の表面に、彫刻加工により施された前記寛永通宝一文銭表面の文様、その裏面に、彫刻加工により施された前記寛永通宝一文銭裏面の文様を有し模造一文銭となっている。
第三考案では、前記第一考案において加工深度が０．７ｍｍ以上の彫刻加工である模造一文銭となっている。
第四考案では、前記第二考案において加工深度が０．７ｍｍ以上の彫刻加工である模造一文銭となっている。
【００２８】  第五考案では、第一〜第四考案のいずれかにおいて用いる円形板状可燃物の素材が、木材又は繊維板、ＭＤＦ、合板等の木であるとし、彫刻された木の特徴を活かした印象の模造一文銭となっている。
第六考案では、第一〜第四考案のいずれかにより形成される模造一文銭の凹部に、濃色で着色加工が施されており、彫刻部分に濃淡があり凹凸部分がより顕著に表現された模造一文銭となっている。また、模造一文銭全体に古銭を模した銅色や鉄色、真鍮色が用いられ、緑青や変色した経年変化が彩色により再現されており、金属古銭に近い外観の模造一文銭となっている。
【００２９】  第七考案では、第一〜第四考案のいずれかにおいてその彫刻が、レーザー加工により施されたものである模造一文銭となっている。板状可燃物の表面に対し、寛永通宝一文銭の文様のうち凹部となる部分にレーザーが照射されることで当該部分が彫刻されたものであり、未照射部分又は浅い彫刻となるよう照射された部分との凹凸により文様が表現されている。印刷物と同様に、パソコンで加工用図案データを作成し、そのデータを用い照射機に照射指示を行い、基材に合わせ照射出力や照射時間を調整することにより、指示図案が彫刻されたものである。必要に応じデータを変更し、彫刻する文様を可変させることも可能である。レーザー照射により、板状可燃物の彫刻の周囲が円形に切断され、中央部分に方形状の貫通孔が開けられている。
【００３０】  第八考案では、第一〜第四考案のいずれかにおいて用いる円形板状可燃物の素材が、木材又は繊維板、ＭＤＦ、合板等の木であるとし、かつ、その彫刻がレーザー加工により施されたものであるとし、前記第五考案と第七考案の特徴を併せ持った模造一文銭となっている。また、木の基材にレーザー加工が施されているため底部と側面部にはレーザー照射による焼損痕があり、未照射部分との濃淡ができ、より凹凸が顕著に表されている。
【００３１】  第九考案では、第一〜第四考案のいずれかにおいて「寛永通寳」の文字彫刻が、親族等が手書きで記した個別に指定された文字形状を見本とし、その書体の「寛永通寳」の文字となっているものであり、それぞれに、より強く思いを込めた模造一文銭となっている。
【実施例】
【００３２】  以下、添付図面に従って一実施例を説明する。なお、これらの実施例は適宜組み合わせて併用することも可能である。
【実施例１】
【００３３】  図１は、本考案の実施例１の模造一文銭表面を示した斜視図であって、第１の円形で板状の可燃物１ａの表面に、彫刻加工の凹凸により表現された寛永通宝一文銭表面の文様である「寛」「永」「通」「寳」の各文字２ａが上下右左に配置され、円形裁断線に沿った縁取り線３を有し、その中央部に方孔円銭の形状である方形状の穴４が貫通されており、その中央貫通孔に沿った縁取り線５を有するものである。文字及び縁取り線は凸部で表現されており、凹部の加工深度は０．７ｍｍ以上である。
図２は、本考案の実施例１の模造一文銭裏面を示した斜視図であって、第２の円形で板状の可燃物１ａの表面に、彫刻加工の凹凸により表現された寛永通宝一文銭裏面の文様の一種である「文」の文字６が上部に配置され、円形裁断線に沿った縁取り線３を有し、その中央部に方孔円銭の形状である方形状の穴４が貫通されており、その中央貫通孔に沿った縁取り線５を有するものである。文字及び縁取り線は凸部で表現されており、凹部の加工深度は０．７ｍｍ以上である。
図３は、本考案の実施例１の模造一文銭貼合後の表面を示した斜視図であって、前記第１・第２の円形で板状の可燃物各１枚を一対とし、裏面同士に接着剤が塗布され中央貫通孔４を共通にして貼り合わされている７ものである。
なお、実施例１において、切断・彫刻が施された順は問わないものとする。
【実施例２】
【００３４】  図４は、本考案の実施例２の模造一文銭表面を示した斜視図であり、円形で板状の可燃物１ａの表面に、彫刻加工の凹凸により表現された寛永通宝一文銭表面の文様である「寛」「永」「通」「寳」の各文字２ａが上下右左に配置され、円形裁断線に沿った縁取り線３を有し、その裏面に図５のように、寛永通宝一文銭裏面の文様である円形裁断線に沿った縁取り線３を有し、その中央部に方孔円銭の形状である方形状の穴４が貫通されており、表裏それぞれの中央貫通孔に沿った縁取り線５を有するものである。それぞれの文字及び縁取り線は凸部で表現されている。
図６は、本考案の実施例２において図４及び図５のＡ−Ａ断面における断面図である。
なお、実施例２において、切断・彫刻が施された順は問わないものとする。
【実施例３】
【００３５】  図７は、本考案の実施例３の模造一文銭表面を示した斜視図である。方形状の中央貫通孔４の開いた円形で板状の可燃物１ａに、彫刻加工により施された寛永通宝一文銭表面の文様である「寛永通寳」の文字２ａと円形裁断線に沿った縁取り線３及び裏面の文様を有する模造一文銭本体に、着色による加工が施されたものである。文字及び縁取り線は凸部で表現されている。全体に銅色や鉄色、真鍮色が用いられ、緑青や変色した経年変化８が彩色により再現されている。凹部に濃色で着色加工９が施されており、彩色により彫刻部分に濃淡ができている。着色剤には、燃焼時に有害物質が発生しない耐久性能を有する塗料が用いられている。
なお、実施例３において、切断・彫刻が施された順は問わないものとする。【００３６】  この実施例３によれば、彫刻加工の施された模造一文銭に、着色加工が施されていることで、より金属古銭である本物の一文銭の外観に近づいている。また、凹部が濃色で着色されていることで、彫刻の凹凸部分がより顕著に表現されており、薄い基材に浅く彫られた場合でも十分に一文銭の形状を表すことができる。着色剤に用いる塗料は、燃焼時に有害物質が発生しない耐久性能を有する塗料とし、彫刻加工が施された後の円形板状可燃物の全体に塗布されていることで耐久性を上げ、長期的な使用・保管にも耐えることができる模造一文銭となっている。
【実施例４】
【００３７】  図８は、本考案の実施例４の模造一文銭表面を示した斜視図である。約１．５〜１０ｍｍ厚の白色系無垢板木材等円形で板状の適宜木素材１ｂにレーザー加工による彫刻が施されており、寛永通宝一文銭表面の文様の「寛永通寳」の文字２ａと円形裁断線に沿った縁取り線３及び裏面の文様を有し、その中央部に方孔円銭の形状である方形状の穴４が貫通されており、表裏それぞれの中央貫通孔に沿った縁取り線５を有する模造一文銭である。文字及び縁取り線は凸部で表現されており、凹部の加工深度は０．７ｍｍ以上である。
なお、実施例４において、切断・彫刻が施された順は問わないものとする。【００３８】  この実施例４によれば、素材に木を用いることで、木の持つ印象を活かした模造一文銭とすることができる。また、木の基材にレーザー加工が施されているため、レーザー照射部分には焼損痕がある。これにより、未照射部分との濃淡ができ、より凹凸が顕著に表される。彫刻面の底部と側面部１０及び切断面１１が焦げ茶色で、未照射の凸部表面が木肌色となっているため、文字がより鮮明になり、全体の重厚感も増すことができる。
【実施例５】
【００３９】  図９は、本考案の実施例５の模造一文銭表面を示した斜視図である。円形で板状の可燃物１ａにレーザー加工による彫刻が施されており、寛永通宝一文銭表面の文様である「寛永通寳」の文字２ｂと円形裁断線に沿った縁取り線３及び裏面の文様を有し、その中央部に方孔円銭の形状である方形状の穴４が貫通されており、表裏それぞれの中央貫通孔に沿った縁取り線５を有する模造一文銭である。文字及び縁取り線は凸部で表現されており、凹部の加工深度は０．７ｍｍ以上である。本実施例における「寛」「永」「通」「寳」の各文字は個別に指定された書体であり、親族や親しい人、生前の本人が手書きで記した文字形状となっている。手書きで記された各文字を見本に、パソコンで彫刻加工用図案データを作成して見本と同じ書体で作り、そのデータを用い照射機に照射指示を行い、基材に合わせ照射出力や照射時間を調整することにより、指示図案が彫刻されたものである。
なお、実施例５において、切断・彫刻が施された順は問わないものとする。【００４０】  この実施例５によれば、思い入れの深い人の手書き文字を用いて、その人のためだけの模造一文銭とすることができる。文字を手書きすることで強く祈願が込められ、それぞれに、より思いの込められた模造一文銭となる。レーザー加工により施されたものであることで、容易に細かく正確な形状が表現され、見本と同じ書体を再現することができる。
【実施例６】
【００４１】  図１０は、本考案の実施例６を示した斜視図である。本考案の模造一文銭１２を６枚一組とし、紙や木等可燃物の箱１３に２枚ずつ３行に入れ六文銭としたものである。
【実施例７】
【００４２】  図１１は、本考案の実施例７を示した斜視図である。本考案の模造一文銭１２を６枚一組とし、封筒状の袋１４に入れ六文銭としたものである。封筒状袋内で偏らないよう縦に２箇所の仕切り１５を接着する等して設け、上下２枚ずつ３行に並べ入れたものである。
【実施例８】
【００４３】  図１２は、本考案の実施例８を示した斜視図である。本考案の模造一文銭１２を６枚一組とし、布製等の可燃性で袋状の頭陀袋１６等に入れ六文銭としたものである。
【実施例９】
【００４４】  図１３は、本考案の実施例９を示した斜視図である。本考案の模造一文銭１２を６枚一組とし、可燃性の紐１７で繋ぎ合わせ六文銭としたものである。【００４５】  この実施例６、７、８及び９によれば、本考案の模造一文銭６枚を一組とすることで寛永通宝の六文銭を模したものにすることができる。１箇所にまとめ入れ、又は紐で繋ぎ合わせることで、保管もしやすくなる。葬祭副葬品として用いる際にも、６枚が分散してしまうことがなく、極楽浄土への旅の途中で紛失してしまわないように、路銀として故人にしっかりと持たせてあげることができる。
なお、実施例９における紐１７で繋ぎ合わせた形態で、実施例６の箱１３、実施例７において仕切り１５を設けない封筒状の袋１４、又は実施例８の頭陀袋１６等に、まとめ入れることも可能である。
【実施例１０】
【００４６】  図１４は、本考案の実施例１０を示した斜視図である。実施例９に示したように、本考案の模造一文銭１２を６枚一組とし、可燃性の紐１７で繋ぎ合わせ六文銭としたものに、願い事が叶うとされる縁起の良い叶結びの紐１８等可燃性の物品を装着させ、長寿の御守としても用いることを可能にしたものである。
【実施例１１】
【００４７】  図１５は、本考案の実施例１１を示した斜視図である。実施例９に示したように、本考案の模造一文銭１２を６枚一組とし、可燃性の紐１７で繋ぎ合わせ六文銭としたものに、魔除けの効果があるとされる鈴１９等非可燃性の物品を、茄子環２０等部品を付する等して、取り外し可能な形態で装着させ、長寿の御守としても用いることを可能にしたものである。副葬品として柩に入れて用いる場合は、非可燃性の物品は取り外すことで、火葬の際にも支障をきたさない。【００４８】  この実施例１０及び１１によれば、縁起の良い物や邪気を払うとされる物を取り付けることで魔除けと祈願の効果を付加し、当該六文銭を長寿の御守とすることができる。六文銭は、葬祭副葬品としての印象が強く、特に本考案により作成した模造一文銭を用いた六文銭は、火葬にも用いることができるものであるがゆえに、事前に用意しておくことに抵抗がある人も多いと考えられる。しかし、この六文銭に、願い事が叶うとされ神社仏閣の御守にも用いられる縁起の良い叶結びや、邪気を払い魔除けの力があるとされる鈴等を装着させることで、単に副葬品としての用途だけでなく、健康長寿を祈願する長寿の御守として末永く所持する価値が生じる。そのため、副葬品として火葬に付することが目的で葬儀の際に急遽用意した六文銭とは異なり、御守として長期間所有することを目的とした六文銭となる。従って、実施例５で示したように手書きの文字形状で個別に作成することも期間的に可能であり、より祈願を込めたその人のためだけの六文銭とすることもできる。
なお、実施例１０及び１１は、併用することも可能であり、これらの形態で、実施例６の箱１３、実施例７において仕切り１５を設けない封筒状の袋１４、又は実施例８の頭陀袋１６等に、まとめ入れることも可能である。
【符号の説明】
【００４９】  １ａ  模造一文銭の基材である板状可燃物
１ｂ  模造一文銭の基材である木素材の板状可燃物
２ａ  「寛」「永」「通」「寳」の文字
２ｂ  手書きで記した書体の「寛」「永」「通」「寳」の文字
３    円形裁断線に沿った縁取り線
４    中央貫通孔
５    中央貫通孔に沿った縁取り線
６    寛永通宝一文銭裏面の文様の一種である「文」の文字
７    貼合部分
８    緑青及び変色を表す着色
９    凹部の濃色着色
１０  レーザー加工による彫刻面の底部と側面部
１１  レーザー加工による切断面
１２  本考案の模造一文銭
１３  箱
１４  封筒状の袋
１５  封筒状の袋の仕切り
１６  頭陀袋
１７  紐
１８  叶結びの紐
１９  鈴
２０  茄子環
２１  寛永通宝一文銭を表す図形
２２  印刷機により複製される複写紙
【図１】
0003210306.tif 000003
【図２】
0003210306.tif 000004
【図３】
0003210306.tif 000005
【図４】
0003210306.tif 000006
【図５】
0003210306.tif 000007
【図６】
0003210306.tif 000008
【図７】
0003210306.tif 000009
【図８】
0003210306.tif 000010
【図９】
0003210306.tif 000011
【図１０】
0003210306.tif 000012
【図１１】
0003210306.tif 000013
【図１２】
0003210306.tif 000014
【図１３】
0003210306.tif 000015
【図１４】
0003210306.tif 000016
【図１５】
0003210306.tif 000017
【図１６】
0003210306.tif 000018